(57)【要約】【課題】             金糸を含む脱毛治療用デュアルニードルセットを提供すること。【解決手段】      本発明は脱毛治療用デュアルニードルセットとして、複数個の本からなり、金糸を含む縫合糸と、前記縫合糸の一端が挿入設置される第１ニードルと、及び前記縫合糸の他端が挿入設置される第２ニードルと、を含み、前記第１及び第２ニードルはその一端に針部が形成され、他端に前記縫合糸が挿入設置されるように所定の深さの設置溝が形成され、前記第１及び第２ニードは互いに異なる長さを有し、それぞれ所定の角度で屈曲された屈曲部を含む。他の実施形態も可能である。【選択図】         図１
2019504660.tif 000002
【特許請求の範囲】
【請求項１】
複数個の本からなり、金糸を含む縫合糸と、
前記縫合糸の一端が挿入設置される第１ニードルと、
前記縫合糸の他端が挿入設置される第２ニードルとを含み、
前記第１及び第２ニードルの一端には針部が形成され、他端には前記縫合糸が挿入設置されるように所定深さの設置溝が形成され、
前記第１及び第２ニードルは互い異なる長さであり、それぞれ所定角度で屈曲された屈曲部を含む、脱毛治療用デュアルニードルセット。
【請求項２】
前記第１ニードルが、前記第２ニードルに比べてその長さが相対的に長い長尺のニードルであり、前記第２ニードルが、前記第１ニードルに比べてその長さが相対的に短い短尺のニードルであることを特徴とする、請求項１に記載の脱毛治療用デュアルニードルセット。
【請求項３】
前記屈曲部は、前記第１及び第２ニードルのそれぞれの設置溝の内側に隣接して位置されることを特徴とする、請求項１に記載の脱毛治療用デュアルニードルセット。
【請求項４】
前記縫合糸は、一本の吸収性縫合糸と複数本の非吸収性縫合糸を含むが、前記非吸収性縫合糸は金糸として、その複数の金糸を互いにねじって用いられるか、前記金糸の直径を太くするか、複数の本数を用いることを特徴とする、請求項１に記載の脱毛治療用デュアルニードルセット。
【請求項５】
前記縫合糸の端部には圧搾部を含むことを特徴とする、請求項１に記載の脱毛治療用デュアルニードルセット。
【請求項６】
前記縫合糸の端部にはコーティング薄膜を含むことを特徴とする、請求項１に記載の脱毛治療用デュアルニードルセット。
【請求項７】
前記ニードルには屈曲部を含み、
前記縫合糸の圧搾部またはコーティング薄膜は前記ニードルの設置溝の内側まで挿入されて前記ニードルの屈曲部により屈曲されて挿入されることを特徴とする、請求項５または６に記載の脱毛治療用デュアルニードルセット。
【発明の詳細な説明】
【技術分野】
【０００１】
本発明は、デュアルニードルセットに関し、より詳しくは脱毛治療のために長短のニードルが金糸を含む複数本の縫合糸の両端にそれぞれ挿入設置された脱毛治療用デュアルニードルセットに関する。
【背景技術】
【０００２】
一般的な外科手術用縫合材料としては、縫合糸が用いられることがよく知られている。このような縫合糸は原料物質により合成縫合糸と天然縫合糸に区分することができ、生体内の吸収可否により施術部位に縫合された後、一定期間を経ると、自然分解されて消える吸収性縫合糸と、施術部位の組職が縫合された後にも吸収されなく一定時間経過後、除去すべき非吸収性縫合糸に分類することができる。非吸収性縫合糸は、施術の目的を達成するために分解されず吸収されないので持続的に施術部位に存在しなければならない場合に用いられることができる。
【０００３】
この製造方法により一本のフィラメントから構成されたモノフィラメント縫合糸と複数本のフィラメントをブレイディングして形成されたマルチフィラメント縫合糸に分類することができる。
【０００４】
このような外科手術用と異なり、成形に用いられる縫合糸、特に肌のしわの除去のために用いられる縫合糸は、金（Ａｕ）糸（ｇｏｌｄ ｔｈｒｅａｄ）が付着されている状態で、ニードルの一端に付着され、ニードルに固定された状態でニードルと共に販売（いわゆる、縫合針とも言う）されるが、典型的な縫合針の一端に縫合糸が挿入設置された構造が知られ、開示されている。すなわち、図１には従来用いられた縫合針と縫合糸の一般的な連結構造が示されている。
【０００５】
図１を参照して従来の縫合針と縫合糸の連結構造を見ると、縫合糸１０４が付着される縫合針１０１の一端には、縫合針１０１の軸方向で一定深さの設置溝１０３が形成されており、前記設置溝１０３に縫合糸１０４の一端が挿入される。縫合糸１０４の一端が前記設置溝１０３に挿入された後には、設置溝１０３が接着物質で満たされるか、または縫合針１０１の端部を加圧して設置溝１０３の断面を変化させる方法によって縫合糸１０４を縫合針１０１の設置溝１０３に固定させるようになる。
【０００６】
ところが、図１の縫合針の場合、一本の縫合糸を縫合針の設置溝に挿入させるには大きな問題がない連結構造であるが、用いられる縫合糸が複数本の細いフィラメントからなるマルチフィラメント形であるか、またはしわの除去用で一本の金糸と一本の吸収性縫合糸が一つのニードルに付着される場合、複数本の縫合糸を縫合針の設置溝にいっぺんに挿入し、固定させる過程を経なければならないので製造効率が劣り、接合の信頼性も劣るという問題点がある。その理由は、縫合糸は柔軟で互いに結合力が不足であるからである。
【０００７】
このような問題点を解決するために、縫合針の設置溝に縫合糸を挿入する代わり、連結部材を通じて縫合針の設置溝に挿入することによって、複数本の縫合糸が縫合針に容易に挿入付着されることができる‘縫合針と縫合糸の連結構造’が知られている。ところで、縫合針には連結部材部分を容易に縫合針の設置溝に挿入するように縫合針の軸方向で隙間（ｃｒｅｖｉｃｅ)が形成されるから、肌などを縫合する過程で血液が縫合針の隙間に染みこんで縫合針が汚染され得る。そして、連結部材部分が縫合糸の外径よりは大きいから、縫合針の下端部の外径に比べて縫合針の設置溝が形成された部分の外径が大きくて縫合する過程で過多出血が発生し得る。
【０００８】
ここに、一端に所定の深さで設置溝が形成された縫合針の設置溝に挿入設置される複数の縫合糸の一端部を圧搾させて縫合針の設置溝に挿入設置された“縫合糸を持つ縫合針”が知られている。
【０００９】
一方、現在用いられているしわの除去用金糸が挿入されたニードルとして、発毛施術用金糸を移植して脱毛治療用で使用するには施術効果面において施術の技術的な面においても適合しない問題がある。一本の金糸を移植した時の発毛効果が劣り、また移植された金糸が頭皮下で全然固定された状態ではないので容易に脱落されるなど、施術の効果だけでなく、施術の信頼度を劣る副作用が顕著に発見される問題がある。以上のような肌のしわの除去のための金糸付着ニードルを施術部位の生体組職に挿入してから抜き取る過程を繰り返すことによって施術部位の生体組織を縫合するようになるが、一定の長さの縫合針を縫合具で取る状態で縫合針に力を加えて前記のような縫合過程を繰り返して進行することに不便な問題がある。
【００１０】
また、現在用いられている金糸移植用ニードルで発毛治療用施術をする場合に顕著に発生する問題点のうちの最も深刻なこととして、第１に、一本の金糸では発毛効果が低い理由と、何回にかけた移植施術で広い部位に傷が付いて治療期間が長くかかるので発毛まで時間が多い必要な理由があり、さらに、挿入された金糸が固定されたり縛られている部分がないので、よく脱落される理由のために施術の効果が落ちる問題と、第２に、一度の挿入で一本の糸のみを移植するので多くの量の金糸を挿入しなければならない場合には多くの作業時間が必要な問題と、第３に、移植された金糸の脱落など、固定されない金糸の流動性による炎症発現の問題とがある。
【００１１】
このような問題を解決するためには、必ず移植された金糸が固定されたり縛られており、流動性を除去することによって脱落を防止すると共に、移植された金糸が少しずつ動きながら頭皮を刺激することによって生ずる炎症を無くさなければならないが、そうではない場合、脱毛部位施術では大きい効果を達成することができない。
【００１２】
さらに、縫合過程のうちのいずれか１つのニードルを用いた縫合穴を通じて結ばなければならない場合にはここに必要な別途のニードルを準備しなければならない煩わしい問題がある。
【発明の概要】
【発明が解決しようとする課題】
【００１３】
したがって、本発明の目的は、前記のような問題点を解決するために、互いに異なる長さのニードルがそれぞれ金糸を含む複数本の縫合糸の両端に挿入設置されたデュアルニードルセットを提供することである。
【００１４】
本発明の他の目的は、縫合糸の両端にそれぞれ挿入設置される互いに異なる長さの複数のニードルが一定角度で屈曲されて施術が容易にデュアルニードルセットを提供することである。
【００１５】
本発明のまた他の目的は、縫合糸の両端にコーティング膜が形成され、両端にコーティング膜が形成された縫合糸が縫合針の設置溝に挿入されて一定角度で屈曲されるので安定的に付着される互い異なる長さのデュアルニードルセットを提供することである。
【００１６】
本発明のまた他の目的は、脱毛部位に挿入される金糸の量を高めて治療の効果を高めることができ、また、しわの施術のように単純に挿入して埋沒したまま場合、金糸が露出されやすいことを防止するための特化されたデュアルニードルセットを提供することである。
【課題を解決するための手段】
【００１７】
前記のような目的を達成するための本発明の一側面による金糸を含む脱毛治療用デュアルニードルセットは、複数個の本からなり、金糸を含む縫合糸と、前記縫合糸の一端が挿入設置される第１ニードルと、及び前記縫合糸の他端が挿入設置される第２ニードルとを含み、前記第１及び第２ニードルはその一端に針部が形成され、他端に前記縫合糸が挿入設置されるように所定深さの設置溝が形成され、前記第１及び第２縫合針は互いに異なる長さであり、それぞれ所定の角度で屈曲された屈曲部を含む。
【発明の効果】
【００１８】
前記の課題解決手段を通じて本発明は次のような効果を提供する。
【００１９】
本発明の多様な実施形態によれば、縫合糸の両端部が圧搾された構造を持つと共にコーティング薄膜を持つから、ニードルの設置溝に隙間を形成しなくても縫合糸をニードルの設置溝に容易に挿入設置することができると共に安定的に付着されることによって肌などを縫合する過程で血液がニードルの隙間に染みこんでニードルが汚染されることを抑制することができ、一定の外径を持つニードルを提供することができるから、肌などの内部に金糸を移植する過程で発生し得る過多出血を抑制することができる効果もある。
【００２０】
また、本発明の多様な実施形態によれば、互いに異なる長さとして一定角度で屈曲されたニードルがそれぞれ縫合糸の両端に挿入設置され、さらに一度の挿入施術で複数本や、より太い金糸をより多い挿入することができるように一つのデュアルニードルセットに複数本の金糸を装着することによって、施術時間を大幅に減らすことができ、挿入された金糸を固定したり縛ることができて金糸の脱落を防止することができるので、従来の方法より傷や炎症をずっと減らすことができ、発毛施術の効果が向上する。
【００２１】
また、本発明の多様な実施形態によれば、多くの本またはより太い金糸を同時に一度に挿入埋沒した後に両端の金糸が同時に同じ埋沒部位に位置しても長短の２個のニードルを用いて同一位置で結び付けることによってそれぞれの金糸を容易に固定したり縛ることができ、金糸が露出されることを防止する作用をして施術の効果を一層高めることができる。
【図面の簡単な説明】
【００２２】
【図１】従来のニードルと縫合糸の連結構造を示す断面図である。
【図２】本発明の実施形態によるデュアルニードルセットを示す分解斜視図である。
【図３】図２の第１ニードルと縫合糸が連結された状態を示す斜視図である。
【図４】図３のＩ-Ｉ'による切開面を示す断面図である。
【発明を実施するための形態】
【００２３】
以下、本発明による好ましい実施形態を添付した図面を参照して詳しく説明する。この時、添付された図面で同一構成要素は可能な同一符号に付している事に留意しなければならない。さらに、本発明の要旨を不明瞭にすることを避けるため公知機能及び構成に対する詳細な説明は省略する。
【００２４】
以下、添付された図２乃至図４を参照で本発明の実施形態を説明する。
【００２５】
先ず、図２は本発明の実施形態によるデュアルニードルセットを示す分解斜視図で、図３は図２の第１ニードルと縫合糸が連結された状態を示す斜視図であり、図４は図３のＩ−Ｉ’による切開面を示す断面図である。
【００２６】
図２乃至図４に示されたように、本発明の実施形態によるデュアルニードルセット１００は複数個の本からなる縫合糸２０の一端が挿入設置される第１ニードル１０と前記縫合糸２０の他端に挿入設置される第２ニードル３０を含む。
【００２７】
第１ニードル１０と第２ニードル３０は、一端に生体組職に挿入される針部１２、３２が形成されており、他端に縫合糸２０の端部が挿入設置されて固定されるように針の軸方向で所定深さの設置溝１４、３４を形成することができる。
【００２８】
第１ニードル１０は、第２ニードル３０に比べてその長さが相対的に長い長尺のニードルであり、第２ニードル３０は第１ニードル１０に比べてその長さが相対的に短い短尺ニードルであり、好ましくは第２ニードル３０は第１ニードル３０の１／２乃至１／３ほどの長さを有しても良い。
【００２９】
一方、第１ニードル１０と第２ニードル３０は所定の角度で屈曲された屈曲部１６、３６を含むことができる。屈曲部１６、３６は、１０°乃至２０°の角度（θ）に屈曲されることができ、さらに、第１ニードル１０と第２ニードル３０の設置溝１４、３４内側に隣接して位置されることができる。
【００３０】
第１及び第２ニードル１０、３０の設置溝１４、３４に挿入設置されて固定される縫合糸２０は吸収性縫合糸２２と吸収性縫合糸２２の外面に所定間隔で巻かれた非吸収性縫合糸２４を含むことができる。
【００３１】
吸収性縫合糸２２の直径は非吸収性縫合糸２４の直径より相対的に大きくても良い。例えば、非吸収性縫合糸２４は施術部位が頭などのように毛がある場合には毛髪生成と生体組職の発育を促進するために０．１ｍｍ程度に非常に薄い金糸から構成しても良く、場合によってはより太い金糸を用いることもでき、複数の金糸を用いることもできる。
【００３２】
縫合糸２０の端部は、第１及び第２ニードル１０、３０の設置溝１４、３４に容易に挿入設置されるように圧搾部２６を含むことができる。すなわち、縫合糸２０の端部に所定の熱と圧力をかけて圧搾すれば、相対的に直径が大きい吸収性縫合糸２２に直径が小さい非吸収性縫合糸２４が密着されるから、従来のように独立的に動いた縫合糸を一つの縫合糸のように取り扱いが可能である。
【００３３】
また、圧搾部２６にはコーティング薄膜２８を含むことができる。圧搾部２６にコーティング薄膜２８が形成されることによって、縫合糸２０を第１及び第２ニードル１０、３０の設置溝１４、３４に容易に挿入した後、次いでピンセットなどで圧力をかけて設置溝１４、３４に挿入された縫合糸２０を固定することができ、また、縫合糸のタイダウン（ｔｉｅ−ｄｏｗｎ)及び結び目の安全性を改善することができる。
【００３４】
コーティング薄膜２８はシリコーンなどを用いて薄膜から形成することができる。そして、上述した従来の連結部材が必要ないので、連結部材による縫合糸２０の圧搾部２６の外径が大きくなることを防止することができ、同一外径を有するデュアルニードル１０、３０を形成することができる。したがって、設置溝１４、３４が形成された第１及び第２ニードル１０、３０端部の外径が大きくなることを防止することができるので、肌などを縫合する過程でニードル１０、３０の外径差によって発生する過多出血を抑制することができる。そして、ニードル１０、３０の軸方向で隙間（ｃｒｅｖｉｃｅ）を形成しなくても良いから、肌などに金糸を移植する過程で血液がニードルの隙間に染みこんでニードルが汚染されることを抑制することができる。
【００３５】
本発明の実施形態において、吸収性縫合糸と金糸の非吸収性縫合糸の２本の縫合糸２０の両端を第１ニードル１０及び第２ニードル３０に挿入設置した例を開示したが、非吸収性の０．１ｍｍ金糸の縫合糸の直径を０．２〜０．３ｍｍと太くすることができ、さらには複数個の金糸本を設置することもでき、各本の直径が互い異なる金糸本の非吸収性縫合糸を用いることができる。しかし、互いに異なる直径及び複数本の金糸の非吸収性縫合糸を使用しても縫合糸２０には圧搾部２６及びコーティング薄膜２８を形成し、形成された圧搾部２６及びコーティング薄膜２８をニードル１０、３０のそれぞれの設置溝１４、３４に安定的に挿入するように、縫合糸２０の圧搾部２６及びコーティング薄膜２８の外径はニードル１０、３０のそれぞれの設置溝１４、３４の内径よりは小さいことが好ましい。
【００３６】
そして、縫合糸２０の圧搾部２６は長針のニードル１０の設置溝１４の長さよりも長く形成することが好ましく、設置溝１４、３６の内側まで挿入されて屈曲部１６、３６は１０°乃至２０°の角度で屈曲された屈曲部１６、３６によって屈曲されて挿入されることができる。これにより、縫合糸２０は設置溝１４、３６により堅固に固定されることができる。
【００３７】
本発明によるデュアルニードルセットは、第２ニードル３０に比べてその長さが相対的に長い長針の第１ニードル１０を用いて頭または毛がある施術部位の生体組職に挿入してから抜き取る過程を繰り返すことによって施術部位の生体組職に金糸を移植した後、第１ニードル１０を抜き取った穴を通じて短針の第２ニードル３０を抜き取った後、結び目をつくって穴を通じて結び目を挿入して施術を完結する。
【００３８】
本発明の他の実施形態によれば、多くの種類の金糸を多様な方法で多様な施術部位の生体組職内に移植することができ、さらには移植された金糸の脱落を防止することができる。例えば、施術部位に金糸を円形で移植する場合、前記の通りに、結び目で施術を完結することもでき、これと異なり、施術部位に金糸を格子形で移植する場合、いずれか１つのニードルの縫合糸と異なる一つのニードルの縫合糸を互いにアンカーリングして施術を完結することもできる。
【００３９】
以上のように本発明によるデュアルニードルセットは、縫合糸に非吸収性金糸を用い、太い直径と多数本の金糸を用いることによって毛髪生成と発育を促進し、縫合糸の両端に挿入設置された屈曲状の長短のニードルセットを利用するので簡便に施術を行うことができる。
【００４０】
以上で説明したことは本発明による一つの好ましい実施形態に過ぎないことで、本発明は前記の実施形態に限定されるものではない。例えば、一実施形態として屈曲されたニードルで説明したが、必要により曲線形のニードルにも適用可能で、以下の特許請求範囲で請求するところのように本発明の要旨を逸脱せず発明が属する分野で通常の知識を有する者であれば、誰でも多様な変更実施が可能な範囲まで本発明の技術的精神があるだろう。
【００４１】
そして、本発明の基本的な技術的思想の範疇内で当該業界の通常の知識を有する者においては他の多い変形及び応用も可能であることは勿論である。
【図１】
2019504660.tif 000003
【図２】
2019504660.tif 000004
【図３】
2019504660.tif 000005
【図４】
2019504660.tif 000006
【国際調査報告】
2019504660.tif 000007
2019504660.tif 000008